(57)【要約】【課題】容量を比較的大きくしたガゼット袋を取り扱うときに、両手でガゼット袋を支えることができるようにし、簡易な構成でブレを生じさせることなしに両手で取り扱えるガゼット袋を提供する。【解決手段】横ガゼット部９に連接の正面側ガゼット延長部１３と背面側ガゼット延長部１４とに取っ手２５を設け、取っ手２５とは袋幅方向で反対側となる曲げ折り部７に、この曲げ折り部７での袋本体シート４を貼り合わせてなる貼り合わせ部分を有し、この貼り合わせ部分にて副取っ手２６を設けた。【選択図】図１
2018062370.tif 000002
【特許請求の範囲】
【請求項１】
一枚の袋本体シートの曲げ折りにより正面シートと背面シートとが相対して形成されている袋本体の前記曲げ折りした曲げ折り部とは反対側に、一枚のガゼットシートを曲げ折り部に向けて折り込み可能に配置してなる横ガゼット部を有し、
袋本体の上部は、正面シートと背面シートとの間に前記横ガゼット部のガゼットシートを折り込みして、前記曲げ折り部上部に注出口具を配した状態で相対するシートの上辺同士を貼り合わせた袋上部閉鎖部で閉じられ、
袋本体の下部は、正面シートと背面シートとの間に横ガゼット部のガゼットシートを折り込みして相対するシートの下辺同士を貼り合わせた袋下部閉鎖部で閉じられていて、正面シートと背面シートとの袋下部閉鎖部側の部分を袋前後方向に展開して形成された袋底を有するとともに、正面シートと背面シートとの袋下部閉鎖部側の部分に前記曲げ折り部の袋下部閉鎖部側の部分が重なって形成された張り出しを有しているガゼット袋であって、
前記横ガゼット部には、正面シートとガゼットシートとを貼り合わせた袋側部閉鎖部から袋本体幅方向に延長された正面側ガゼット延長部と、背面シートとガゼットシートとを貼り合わせた袋側部閉鎖部から袋本体幅方向に延長された背面側ガゼット延長部とが連接され、
前記正面側ガゼット延長部と背面側ガゼット延長部とのそれぞれには、袋前後の方向で重なる位置にして取っ手が設けられ、
前記取っ手とは袋幅方向で反対側となる前記曲げ折り部は、前記注出口具の近傍位置にして、該曲げ折り部でのシートを貼り合わせてなる貼り合わせ部分を有し、該貼り合わせ部分にて副取っ手が設けられていることを特徴とする注出口具付きガゼット袋。
【請求項２】
上記副取っ手とされた上記曲げ折り部でのシートを貼り合わせた部分に、指掛け孔が開孔されている請求項１に記載の注出口具付きガゼット袋。
【請求項３】
上記副取っ手とされた上記曲げ折り部でのシートを貼り合わせた部分に、該貼り合わせ部分を切り込んで形成された手通し孔形成部が設けられている請求項１に記載の注出口具付きガゼット袋。
【請求項４】
一枚の袋本体シートの曲げ折りにより正面シートと背面シートとが相対して形成されている袋本体の前記曲げ折りした曲げ折り部とは反対側に、一枚のガゼットシートを曲げ折り部に向けて折り込み可能に配置してなる横ガゼット部を有し、
袋本体の上部は、正面シートと背面シートとの間に前記横ガゼット部のガゼットシートを折り込みして、前記曲げ折り部上部に注出口具を配した状態で相対するシートの上辺同士を貼り合わせた袋上部閉鎖部で閉じられ、
袋本体の下部は、正面シートと背面シートとの間に横ガゼット部のガゼットシートを折り込みして相対するシートの下辺同士を貼り合わせた袋下部閉鎖部で閉じられていて、正面シートと背面シートとの袋下部閉鎖部側の部分を袋前後方向に展開して形成された袋底を有するとともに、正面シートと背面シートとの袋下部閉鎖部側の部分に前記曲げ折り部の袋下部閉鎖部側の部分が重なって形成された張り出しを有しているガゼット袋であって、
前記横ガゼット部には、正面シートとガゼットシートとを貼り合わせた袋側部閉鎖部から袋本体幅方向に延長された正面側ガゼット延長部と、背面シートとガゼットシートとを貼り合わせた袋側部閉鎖部から袋本体幅方向に延長された背面側ガゼット延長部とが連接され、
前記正面側ガゼット延長部と背面側ガゼット延長部とのそれぞれには、袋前後の方向で重なる位置にして取っ手が設けられ、
前記取っ手とは袋幅方向で反対側となる前記張り出しにて副取っ手が設けられていることを特徴とする注出口具付きガゼット袋。
【請求項５】
上記副取っ手とされた上記張り出しに、指掛け孔が開孔されている請求項４に記載の注出口具付きガゼット袋。
【請求項６】
上記副取っ手とされた上記張り出しに、該張り出しを切り込んで形成された手通し孔形成部が設けられている請求項４に記載の注出口具付きガゼット袋。
【発明の詳細な説明】
【技術分野】
【０００１】
本発明は液体製品、例えば液体洗剤や柔軟剤などのトイレタリー用品、食用油やソースなどの液体調味料、インスタントコーヒーなどの飲料食品、エンジンオイルなどの工業製品が例として挙げられるような液体を収納でき、収納物を収納した状態で手持ちできる程度の容量とする注出口具付きガゼット袋に関するものである。
【背景技術】
【０００２】
従来からガゼット袋としては、袋前後にして正面シートと背面シートとを相対させるとともに、この正面シートと背面シートとの間に袋左右にしてガゼットシートを二つ折りに折り入れて配置して袋本体を構成し、ガゼットシートが位置する袋左右の横ガゼット部それぞれが袋前後に展開されることで袋下部に袋前後に広がりのある袋底を形成するようにした袋が使用されている。
【０００３】
また、液体などの流動性のある製品を入れる容器として、袋内方側をシーラント層とする積層構成の柔軟なシートを用い、その正面シートと背面シートと横ガゼット部のガゼットシートとで相対する辺同士をヒートシールしたパウチタイプの袋も多く流通していている。
【０００４】
さらに流動物を収納するパウチタイプの袋では、特許文献１に示されているように、ヒートシールされる袋上部閉鎖部の中央に、キャップを有する注出口具を位置させるとともに、袋上部の一隅で正面シートと背面シートとガゼットシートとを重ね合わせて一体とし、この一体とされた部分に、指通しできる指掛け孔を開けたガゼット袋がある。
【０００５】
同様にパウチタイプの袋として、正面シートと背面シートとの間に袋底面となる底シートを折り入れて所要部分をヒートシールしたスタンディングパウチの袋も流通しており、特許文献２に示されているように、袋上部の一隅に注出口具を配するとともに、反対側の隅部に正面シートと背面シートとのヒートシール領域を拡大してなる延長部に指通しできる切り込みを入れて、その切り込みの端部間を取っ手として利用できるようにした袋も提案されている。
【先行技術文献】
【特許文献】
【０００６】
【特許文献１】特開２００６−１７６１３８号公報
【特許文献２】特許第５１３８２３８号公報
【発明の概要】
【発明が解決しようとする課題】
【０００７】
上述したパウチタイプの袋のように、横ガゼット部や二つ折りの底面シートを有していて、袋上部に注出口具を備えているとともに、袋本体の側部でシートを重ね合わせた部分に位置する取っ手も備える袋については、その取っ手を利用して収納物が注出し易いものとなっていることから、近年においては容量を３、４リットル程度までに大きくして、詰め替え用の液体を収納する用途などに利用できる比較的大型のガゼット袋が要望されるようになってきている。
【０００８】
そして容量を大きくしたガゼット袋の一つとして、袋本体の一方の側部にガゼットシートを折り入れた横ガゼット部を備え、横ガゼット部の外方にシートの重ね合わせ部分を延長した延長部を設け、さらにその延長部に取っ手を設けるようにした形態のものが検討されている。
【０００９】
しかしながら、上記特許文献で示されている袋の容量を単に大きくしたものや、上記横ガゼット部の延長部に取っ手を設けたガゼット袋では、その取っ手に手を掛けて握り持つときに、シート端縁が手のひらに強く食い込むようにして当たり、手に痛みを与え易くなっている。そのためこのガゼット袋を取り扱う作業者は、痛みを避けるように取っ手の握り持ちを緩めにしながら袋本体を支え勝ちになる。
【００１０】
そしてこのガゼット袋を傾けて収納物を注ぎ出すときには、取っ手をしっかりと握り持ちできないことから、袋全体が不安定になって注出口具がブレて、受け容器に適正に収納物を注ぐことができないという問題があった。
【００１１】
さらにパウチタイプの袋を両手で持って収納物の注ぎ出しを行なうとしても、袋のどの部分を掴み持って支えればよいかが非常に分かり難いという問題がある。
【００１２】
そこで本発明は上記事情に鑑み、容量を比較的大きくしたガゼット袋を取り扱うときに、両手でガゼット袋を支えることができるようにすることを課題とし、簡易な構成でブレを生じさせることなしに両手で取り扱えるガゼット袋を提供することを目的とするものである。
【課題を解決するための手段】
【００１３】
（請求項１の発明）
本発明は、上記課題を考慮してなされたもので、一枚の袋本体シートの曲げ折りにより正面シートと背面シートとが相対して形成されている袋本体の前記曲げ折りした曲げ折り部とは反対側に、一枚のガゼットシートを曲げ折り部に向けて折り込み可能に配置してなる横ガゼット部を有し、
袋本体の上部は、正面シートと背面シートとの間に前記横ガゼット部のガゼットシートを折り込みして、前記曲げ折り部上部に注出口具を配した状態で相対するシートの上辺同士を貼り合わせた袋上部閉鎖部で閉じられ、
袋本体の下部は、正面シートと背面シートとの間に横ガゼット部のガゼットシートを折り込みして相対するシートの下辺同士を貼り合わせた袋下部閉鎖部で閉じられていて、正面シートと背面シートとの袋下部閉鎖部側の部分を袋前後方向に展開して形成された袋底を有するとともに、正面シートと背面シートとの袋下部閉鎖部側の部分に前記曲げ折り部の袋下部閉鎖部側の部分が重なって形成された張り出しを有しているガゼット袋であって、
前記横ガゼット部には、正面シートとガゼットシートとを貼り合わせた袋側部閉鎖部から袋本体幅方向に延長された正面側ガゼット延長部と、背面シートとガゼットシートとを貼り合わせた袋側部閉鎖部から袋本体幅方向に延長された背面側ガゼット延長部とが連接され、
前記正面側ガゼット延長部と背面側ガゼット延長部とのそれぞれには、袋前後の方向で重なる位置にして取っ手が設けられ、
前記取っ手とは袋幅方向で反対側となる前記曲げ折り部は、前記注出口具の近傍位置にして、該曲げ折り部でのシートを貼り合わせてなる貼り合わせ部分を有し、該貼り合わせ部分にて副取っ手が設けられていることを特徴とする注出口具付きガゼット袋を提供して、上記課題を解消するものである。
【００１４】
（請求項２の発明）
そして本発明は、上記副取っ手とされた上記曲げ折り部でのシートを貼り合わせた部分に、指掛け孔が開孔されていることが可能である。
【００１５】
（請求項３の発明）
また、本発明は、上記副取っ手とされた上記曲げ折り部でのシートを貼り合わせた部分に、該貼り合わせ部分を切り込んで形成された手通し孔形成部が設けられていることが可能である。
【００１６】
（請求項４の発明）
またもう一つ発明は、一枚の袋本体シートの曲げ折りにより正面シートと背面シートとが相対して形成されている袋本体の前記曲げ折りした曲げ折り部とは反対側に、一枚のガゼットシートを曲げ折り部に向けて折り込み可能に配置してなる横ガゼット部を有し、
袋本体の上部は、正面シートと背面シートとの間に前記横ガゼット部のガゼットシートを折り込みして、前記曲げ折り部上部に注出口具を配した状態で相対するシートの上辺同士を貼り合わせた袋上部閉鎖部で閉じられ、
袋本体の下部は、正面シートと背面シートとの間に横ガゼット部のガゼットシートを折り込みして相対するシートの下辺同士を貼り合わせた袋下部閉鎖部で閉じられていて、正面シートと背面シートとの袋下部閉鎖部側の部分を袋前後方向に展開して形成された袋底を有するとともに、正面シートと背面シートとの袋下部閉鎖部側の部分に前記曲げ折り部の袋下部閉鎖部側の部分が重なって形成された張り出しを有しているガゼット袋であって、
前記横ガゼット部には、正面シートとガゼットシートとを貼り合わせた袋側部閉鎖部から袋本体幅方向に延長された正面側ガゼット延長部と、背面シートとガゼットシートとを貼り合わせた袋側部閉鎖部から袋本体幅方向に延長された背面側ガゼット延長部とが連接され、
前記正面側ガゼット延長部と背面側ガゼット延長部とのそれぞれには、袋前後の方向で重なる位置にして取っ手が設けられ、
前記取っ手とは袋幅方向で反対側となる前記張り出しにて副取っ手が設けられていることを特徴とする注出口具付きガゼット袋であり、この注出口具付きガゼット袋を提供して上記課題を解消するものである。
【００１７】
（請求項５の発明）
そして上記発明は、上記副取っ手とされた上記張り出しに、指掛け孔が開孔されていることが可能である。
【００１８】
（請求項６の発明）
また上記発明は、上記副取っ手とされた上記張り出しに、該張り出しを切り込んで形成された手通し孔形成部が設けられていることが良好である。
【発明の効果】
【００１９】
（請求項１の発明の効果）
請求項１の発明によれば、横ガゼット部に連接の正面側ガゼット延長部と背面側ガゼット延長部とに取っ手が設けられているとともに、袋本体での前記取っ手とは袋幅方向で反対側となる曲げ折り部に、この曲げ折り部のシートを貼り合わせて得られた副取っ手が設けられていて、ガゼット袋を両手で支えて確実に取り扱えるようになる。
【００２０】
さらに注出口具の近くに副取っ手が位置するので、収納物を注ぎ出すときに注出口具をブレさせずに注ぎ出しの方向を定めることが容易となり、収納物を安定して注出できるようになる。
【００２１】
（請求項２の発明の効果）
請求項２の発明によれば、指掛け孔を利用してより確実に副取っ手を持つことができるようになる。
【００２２】
（請求項３の発明の効果）
請求項３の発明によれば、手通し孔形成部に手を通すことでより確実に副取っ手を持つことができるようになる。
【００２３】
（請求項４の発明の効果）
請求項４の発明によれば、横ガゼット部に連接の正面側ガゼット延長部と背面側ガゼット延長部とに取っ手が設けられているとともに、袋本体での前記取っ手とは袋幅方向で反対側であって曲げ折り部の下部となる張り出しに副取っ手が設けられていて、ガゼット袋を両手で支えて確実に取り扱えるようになる。そして袋下部で袋幅方向に突出する張り出しの部分を、袋下部に折り返して貼着したり切り取ることなく有効に利用でき、切り取りによるごみの発生を抑えることができる。
【００２４】
さらに袋底の近くに副取っ手が位置するので、収納物を注ぎ出すときに袋全体を傾けて注ぎ出しの方向を定めることが容易となり、収納物を安定して注出できるようになる。
【００２５】
（請求項５の発明の効果）
請求項５の発明によれば、指掛け孔を利用してより確実に副取っ手を持つことができるようになる。
【００２６】
（請求項６の発明の効果）
請求項６の発明によれば、手通し孔形成部に手を通すことでより確実に副取っ手を持つことができるようになる。
【図面の簡単な説明】
【００２７】
【図１】本発明に係る注出口具付きガゼット袋の第一の実施の形態における袋本体を正面シート側から見た状態で示す説明図である。
【図２】同じく第一の実施の形態における袋本体を背面シート側から見た状態で示す説明図である。
【図３】第一の実施の形態を曲げ折り部側から見た状態で示す説明図である。
【図４】第一の実施の形態における変形を示す説明図である。
【図５】同じく第一の実施の形態における変形を示す説明図である。
【図６】第二の実施の形態における袋本体を正面シート側から見た状態で示す説明図である。
【図７】同じく第二の実施の形態における袋本体を背面シート側から見た状態で示す説明図である。
【図８】第二の実施の形態における張り出しに指掛け孔を有する副取っ手を示す説明図である。
【図９】第二の実施の形態における張り出しに手通し孔形成部を有する副取っ手を示す説明図である。
【図１０】モニタ評価に用いた注出口具付きガゼット袋の実施例（Ａ）（Ｂ）を示す説明図である。
【発明を実施するための形態】
【００２８】
つぎに本発明を図１から図１０に示す実施の形態に基づいて詳細に説明する。図中１は注出口具付きガゼット袋で、該ガゼット袋１は、図１、図２に示すように横ガゼットの形態とした袋本体２と、この袋本体２の袋上部一隅に位置する注出口具３とからなるものである。
【００２９】
ガゼット袋１の袋本体２は、一枚の袋本体シート４を曲げ折ることで袋前後にして相対するように正面シート５と背面シート６とを形成するとともに、袋本体シート４の前記曲げ折りされている部分である曲げ折り部７を、この正面シート５と背面シート６とに連続する部分として備えている。そしてこの曲げ折り部７は、正面シート５と背面シート６とが袋前後の方向に離れることで、正面シート５と背面シート６とのそれぞれの一部分と共に広がりのある側面として形成されるようにしている。
【００３０】
また袋本体２の曲げ折り部７とは反対側となる一方の側部に、正面シート５と背面シート６との間にして一枚のガゼットシート８を曲げ折り部７に向けて折り込みできる状態にして配し、この一方の側部を袋前後方向に展開したり、またガゼットシート８が二つ折りされる状態で正面シート５と背面シート６とを重ねることができるようにした横ガゼット部９を有している。
【００３１】
（袋本体）
図１と図２とは広がりのある袋底を形成するための加工を施す前の扁平な袋本体２を示している。この袋本体２の袋本体シート４とガゼットシート８とは、共に袋内方側をシーラント面とする基材／シーラント層の積層構成を有する積層体であり、正面シート５と背面シート６との間に、上述のように二つ折りのガゼットシート８を配した状態で重ね合わせている。
【００３２】
（袋下部閉鎖部）
正面シート５の下辺と背面シート６の下辺、またガゼットシート８の一方の半面における下辺とこの部分に対応する正面シート５の下辺、さらにガゼットシート８のもう一方の半面における下辺とこの部分に対応する背面シート６の下辺それぞれの相対する辺部同士がヒートシールされて、袋下部閉鎖部１０を設けている。
【００３３】
（袋上部閉鎖部）
また正面シート５の上辺と背面シート６の上辺、またガゼット８の一方の半面における上辺とこの部分に対応する正面シート５の上辺、さらにガゼットシート８のもう一方の半面における上辺とこの部分に対応する背面シート６の上辺それぞれの相対する部分がヒートシールされて、袋上部閉鎖部１１を設けていて、正面シート５と背面シート６との横ガゼット部９とは反対側の上辺部分が斜めとされ、この部分に上記注出口具３を挟み込んだ状態で一体にヒートシールすることで、注出口具３が取り付けられている。
【００３４】
（袋側部閉鎖部）
さらに同じく図１と図２に示すように、横ガゼット部９では、正面シート５の側辺とガゼットシート８の半面の側辺とが相対し、また背面シート６の側辺とガゼットシート８のもう一方の半面における側辺とが相対していて、この相対する辺部同士がヒートシールされ、袋下部閉鎖部１０と袋上部閉鎖部１１とに連続する袋側部閉鎖部１２を設けている。
【００３５】
袋側部閉鎖部１２自体は、正面シート５側に位置するものと背面シート６側に位置するものとが袋前後で重なる位置に形成されている。図示の実施の形態のガゼット袋１は、ガゼットシート８の中央の折り位置からガゼットシート８の側辺までの袋幅方向での長さについて、袋下部側の長さより袋上部側の長さが短かく設定されていて、袋下部からほぼ袋上方側に向けて袋側部閉鎖部１２それぞれ（袋前後での袋側部閉鎖部）は直線状に延び、そして袋上部に近接する部分で曲線状の線形状を呈して、ガゼットシート７の中央の折り位置に近付くように曲がった線形状としている。
【００３６】
なお、ガゼットシート８の中央の折り位置からガゼットシート８の側辺までの袋幅方向での長さについて、袋下部側の長さと袋上部側の長さとを同じに設定して、袋下部から袋上方まで袋側部閉鎖部１２それぞれを直線状に延びた線形状としてもよい。
【００３７】
（ガゼット延長部）
袋本体２の上記横ガゼット部９は、収納物が入れられたガゼット袋１をこの横ガゼット部９がある側方から手で握り持ちできるようにした部分を設けている。
【００３８】
図示されているようにこの横ガゼット部９は、正面シート５側のヒートシールによりなる上記袋側部閉鎖部１２から袋幅方向での外方に向けて連続する正面側ガゼット延長部１３を有するとともに、背面シート６側のヒートシールによりなる上記袋側部閉鎖部１２から、同じように袋幅方向での外方に向けて連続する背面側ガゼット延長部１４を有している。
【００３９】
正面側ガゼット延長部１３は、正面シート５の側辺（袋側部閉鎖部１２）の位置から袋本体幅方向外方に向けて延長した延長シート１５と、ガゼットシート８の正面シート側の辺部（袋側部閉鎖部１２）の位置から袋本体幅方向外方に向けて延長した延長シート１６とが重ね合わされているものである。
【００４０】
背面側ガゼット延長部１４は、背面シート６の側辺（袋側部閉鎖部１２）の位置から袋本体幅方向外方に向けて延長した延長シート１７と、ガゼットシート８の背面シート側の辺部（袋側部閉鎖部１２）の位置から袋本体幅方向外方に向けて延長した延長シート１８とを重ね合わせたものである。
【００４１】
正面ガゼット延長部１３と背面ガゼット延長部１４とのそれぞれの辺部においては、相対する延長シート１５と延長シート１６、また相対する延長シート１７と延長シート１８の辺同士がヒートシールにより貼り合わされていて、袋上部閉鎖部１１と袋下部閉鎖部１０に連続し、袋側部閉鎖部１２にも連続する延長シート閉鎖部１９が設けられている。
【００４２】
さらに正面側ガゼット延長部１３と背面側ガゼット延長部１４それぞれでは、相対する延長シート１５と延長シート１６とが全面的にヒートシールされ、同様に相対する延長シート１７と延長シート１８とが全面的にヒートシールされていて、正面側ガゼット延長部１３と背面側ガゼット延長部１４とのそれぞれの剛性が高められている。なお、正面側ガゼット延長部１３と背面側ガゼット延長部１４は袋側部閉鎖部１２によって、袋本体の収納空間と仕切られているため、袋側部閉鎖部１２と延長シート閉鎖部１９との間の全面的な貼り合わせは、必ずしも必要とされるものではない。
【００４３】
（袋底）
上記袋本体２は、収納物が充填される前の状態において内部に収納空間が形成されるようにしたものであって、正面シート５と背面シート６との袋下部閉鎖部側の部分を、上記袋下部閉鎖部１０の位置が中央となるようにして袋前後方向に展開しており、そしてこの展開にてガゼットシート８の下部側も上方に向いた面形状を呈して広がりを有した袋底２０が形成されている。
【００４４】
（張り出し）
そして上記正面シート５と背面シート６との袋下部閉鎖部側の部分を袋前後方向に展開することで、その正面シート５と背面シート６との袋下部閉鎖部側の部分を下面とし、これに上記曲げ折り部７の袋下部閉鎖部側の部分が重なるようになり、この重なりによって形成された張り出し２１を袋底２０と連続するようにして有している。
【００４５】
上記張り出し２１の基端には、袋前後に亘って線状にヒートシールされた張り出し閉鎖部２２が設けられている。前記張り出し閉鎖部２２は袋本体２の内方の収納空間と張り出し２１の内側とを仕切っていて、収納物が張り出し２１の内側に入り込まないようにしている。
【００４６】
（張り出し閉鎖部）
張り出し閉鎖部２２は、袋本体２の曲げ折り部７の袋前後の方向に亘る直線状の下辺でもあり、また張り出し閉鎖部２２がシートのヒートシール（正面シートと背面シートとの袋下部閉鎖部側の部分に前記曲げ折り部の袋下部閉鎖部側の部分との貼り合わせ）にて剛性を有する部分であることから、曲げ折り部７を側面視したときの形状を略三角形状に維持し、この曲げ折り部７の袋上下に亘る強度を高める働きを有する。さらに張り出し閉鎖部２２は、袋底２０を広がった形態に維持する働きも有する。
【００４７】
そして張り出し２１は上記張り出し閉鎖部２２に連続して全面をヒートシールして板状に形成されており、全体として剛性を高めている。
【００４８】
（第一の実施の形態）
本発明の注出口具付きガゼット袋１は収納物が入れられたこのガゼット袋１を使用者が両手で持ちながら注出するなどの取り扱いを安全に行えるようにした工夫が、上記袋本体シート４とガゼットシート８との組み合わせた袋本体２に対して図られているもので、その第一の実施の形態を以下に説明する。
【００４９】
第一の実施の形態では、袋本体２を扁平にして表す図１と図２とに示されているように、正面側ガゼット延長部１３と背面側ガゼット延長部１４とに、その袋中段となる高さ位置にして、正面側ガゼット延長部１３と背面側ガゼット延長部１４とを重ね合わせた状態で切り込み２３を略Ｃ字状に入れて、手通し孔形成部２４を、切り込みによりなる舌片で開放可能に覆われた状態で形成している。
【００５０】
そして上記切り込み２３の端部の間からその側方のガゼット延長部１３、１４の側辺（延長シート閉鎖部）にかけての領域を、前記手通し孔形成部２４に通した手を掛けることができる取っ手２５として設けている。
【００５１】
このように横ガゼット部９に連接の正面側ガゼット延長部１３と背面側ガゼット延長部１４において、その袋中段の高さ位置にして、袋本体側方から手を掛けることができる取っ手２５を袋前後で重なる位置にして備えており、収納物を入れたガゼット袋１をこの取っ手２５を握った手で持ち下げることができるとともに、取っ手２５を握ったまま袋本体２を傾けることができる。
【００５２】
（副取っ手）
つぎに第一の実施の形態では、上記取っ手２５の袋上下の方向での高さ位置に対して上位となる位置にして、図１〜図３に示されているように曲げ折り部７の上端側に副取っ手２６が設けられている。副取っ手２６は、曲げ折り部６の上端での本体シート４を袋前後で重ね合わせてヒートシールして板状に形成されており、板状とされた副取っ手２６を、曲げ折り部７の側方（袋幅方向での外方側）から持つことができ、この副取っ手２６を持つことは収納物の有無に関係無く行え、収納物が入れられた状態であってもこの副取っ手２６自体の形状が変化することがない。
【００５３】
副取っ手２６としている袋本体シートの貼り合わせ領域は、袋上部閉鎖部１１での注出口具取付部分側に連続していることが好ましい。また、袋内方との境界である前記貼り合わせ領域の内縁形状を略弧状としており、収納物を注ぎ出すときに曲げ折り部７の内面を下部側から注出口具に向けて動く収納物の動作に不具合を生じさせない形状であることが好ましい。
【００５４】
このように第一の実施の形態においては、袋本体２の一方の側方であるガゼット延長部１３、１４に上記取っ手２５を備えるとともに、取っ手２５とは袋幅方向で反対側である曲げ折り部７の上端側に副取っ手２６を備えているので、取っ手２５と副取っ手２６とを利用して両手でガゼット袋１を持つことができる。そして、副取っ手２６は注出口具３に近接した位置にあるため、ガゼット袋１を傾けて収納物を注ぎ出すときに副取っ手２６を持って注出口具側を支えることができ、その注出口具の位置を安定させて、収納物を注ぎ出す方向が定め易くなる。
【００５５】
なお、副取っ手２６の袋上下の方向での高さ位置が取っ手２５の位置より上位であることが好ましいが、必ずしも限定されるものではない。
【００５６】
（第一の実施の形態の変形１）
図１から図３において副取っ手２６は、曲げ折り部７の上端側で袋本体シート４を袋前後に重ね合わせてヒートシールした板状としているが、図４に示すようにヒートシールした領域の内側に指掛け孔２７を設けるようにすることが可能である。この指掛け孔２７を利用することで副取っ手２６をより一層確実に持つことができるようになる。
【００５７】
（第一の実施の形態の変形２）
また副取っ手２６においては、図５に示すようにヒートシールした領域の内側に切り込みを入れて手通し孔形成部２８を設けるようにすることが可能である。この手通し孔形成部２８を開閉可能に塞ぐ舌片を押しのけるように手を通して掛けることで副取っ手２６をより一層確実に持つことができるようになる。
【００５８】
（第二の実施の形態）
上記ガゼット袋１では取っ手２５に対して袋幅方向に離間する副取っ手２６を曲げ折り部７に備えているが、第二の実施の形態に示すように副取っ手２６を上記張り出し２１により設けるようにすることが可能である。
【００５９】
第一の実施の形態と同じように袋本体２の正面側ガゼット延長部１３と背面側ガゼット延長部１４とに取っ手２６を設けているが、第二の実施の形態においては図６と図７とに示されているように、正面側ガゼット延長部１３と背面側ガゼット延長部１４との袋上部側に取っ手２６を設けている。
【００６０】
なお、図６と図７とは正面シート５と背面シート６とが袋前後に離れる前の扁平な形態となっている袋本体２を示していて、第一の実施の形態での図１と図２と同じように張り出し２１は、袋本体２が扁平な形態であるときには形成されていない。
【００６１】
第二の実施の形態では、上述したように取っ手２５を袋上部での注出口具３とは反対側となる隅部に配して、注出口具３側に傾斜させている。そのためガゼットシート８の中央の折り位置からガゼットシート８の側辺までの袋幅方向での長さについて、袋下部側の長さより袋上部側の長さが短かく設定して、袋下部からほぼ袋上方側に向けて袋側部閉鎖部１２それぞれが直線状に延び、そして袋上部に近接する部分で曲線状の線形状を呈するようにして、袋上部側ではガゼットシート８の中央の折り位置に近付くように曲がった線形状としている。
【００６２】
この第二の実施の形態においては、張り出し２１自体がヒートシールによって剛性を有する部分であるので、この張り出し２１全体を副取っ手２６として設けることが可能である。さらには、図８に示すように、張り出し２１でのヒートシールした領域の内側に指掛け孔２９を設けて、この指掛け孔２９の周りを副取っ手２６としているもので、この取っ手２６を利用して張り出し２１を全体的に掴み易くしているものである。
【００６３】
また図９に示すようにヒートシールした領域の内側に切り込みを入れて手通し孔形成部３０を設け、この手通し孔形成部３０を開閉可能に塞ぐ舌片を押しのけるように通した手を掛けることができる手通し孔形成部３０の周囲を副取っ手２６としており、この取っ手２６を利用して張り出し２１を全体的に掴み易くしているものである。
【００６４】
このように第二の実施の形態においては、袋本体２の一方の側方であるガゼット延長部１３、１４の袋上部側に取っ手２５を備えるとともに、取っ手２５とは袋幅方向で反対側である張り出し２１に副取っ手２６を備えており、取っ手２５と副取っ手２６とが袋幅方向に離れる配置とされているとともに、取っ手２５の袋上下での高さ位置に対して下位となる高さ位置に副取っ手２６が配置されているので、取っ手２５と副取っ手２６とを利用して両手でガゼット袋１を持ちながら傾けることが容易となる。そして、副取っ手２６は袋下部にあるため、ガゼット袋１を傾ける調整操作が頗る簡単になる。
【００６５】
（モニタ評価−持ち易さ、注ぎ易さ、液こぼれ）
実施例（Ａ）として、上記第一の実施の形態であって、副取っ手を袋本体シートの貼り合わせのみとした注出口具付きガゼット袋を作製した。また上記第二の実施の形態であって、張り出しに手通し孔形成部を設けることで副取っ手を形成した注出口具付きガゼット袋を作製した。そして実施例（Ａ）と実施例（Ｂ）とで、持ち易さ、注ぎ易さ、液こぼれについてモニタ評価を行なった。なお、図１０において（Ａ）の注出口具付きガゼット袋１が実施例（Ａ）を示し、（Ｂ）の注出口具付きガゼット袋１が実施例（Ｂ）を示している。
【００６６】
（積層体の構成）
実施例（Ａ）（Ｂ）とに用いたシート（積層体）は、ドライラミネート法によって貼り合わされてなるものであり、以下の構成とした。
ポリエチレンテレフタレートフィルム（ＰＥＴ  １２μｍ）／接着剤層／二軸延伸ナイロンフィルム（ＯＮＹ  １５μｍ）／接着剤層／直鎖状低密度ポリエチレンフィルム（ＬＬＤＰ  １５０μｍ）
【００６７】
モニタ評価は、実施例（Ａ）と実施例（Ｂ）とのそれぞれに３リットルの水を入れて、液体洗剤用のプラスチックボトルに注ぐことで、そして持ち易さ、注ぎ易さを評価させた。また前記水の注ぎに際して、液こぼれの有無を確認した。その結果を表１に示した。表１において◎は優、○は良、△は不可の評価を示す。（モニタ数  １０）
【００６８】
【表１】
2018062370.tif 000003
【００６９】
（評価結果）
実施例（Ａ）は、一方の手で注出口具の下の副取っ手を利用して支え、他方の手で取っ手を持つことにより、注ぎ先のプラスチックボトルの口元を狙い易くなり、液をこぼす人は見られなかった。実施例（Ｂ）は、一方の手で張り出しの副取っ手を利用して支え、他方の手で取っ手を持つことにより、３リットルの大容量でも重さを感じ難く持ち易くなり、注ぎ易さが優良な評価となった。
【００７０】
さらに実施例（Ａ）（Ｂ）のいずれにおいても、袋本体の一方側に取っ手があるとともに、袋本体の他方側に副取っ手があることから、自然と両手の位置を誘導できている様子が観察された。
【００７１】
以上の結果から、本発明の注出口具付きガゼット袋は、使用者が両手で持つように誘導し易く、片手では重くて詰め替えが困難な大容量のものについても、安定して注ぐことが可能であることが分かった。
【符号の説明】
【００７２】
１…注出口具付きガゼット袋
２…袋本体
３…注出口具
４…袋本体シート
５…正面シート
６…背面シート
７…曲げ折り部
８…ガゼットシート
９…横ガゼット部
１２…袋側部閉鎖部
１３…正面側ガゼット延長部
１４…背面側ガゼット延長部
１５、１６、１７、１８…延長シート
１９…延長シート閉鎖部
２０…袋底
２１…張り出し
２２…張り出し閉鎖部
２３…切り込み
２４…手通し孔形成部
２５…取っ手
２６…副取っ手
２７、２９…指掛け孔
２８、３０…手通し孔形成部
【図１】
2018062370.tif 000004
【図２】
2018062370.tif 000005
【図３】
2018062370.tif 000006
【図４】
2018062370.tif 000007
【図５】
2018062370.tif 000008
【図６】
2018062370.tif 000009
【図７】
2018062370.tif 000010
【図８】
2018062370.tif 000011
【図９】
2018062370.tif 000012
【図１０】
2018062370.tif 000013